(57)【要約】【課題】軽量且つ小型の起振機を提供する。【解決手段】錘（１１）を加振する加振部（１２）と、加振部を支持する基台（２）と、加振部を駆動する駆動手段（７０、９０）と、加振部の下面側に設けられた移動子（８）と、を備え、基台は、移動子を水平方向に往復移動できるように案内するガイド手段（３）を備えた。【選択図】    図１
2005013941.tif 000002
【特許請求の範囲】
【請求項１】
錘を加振する加振部と、
前記加振部を支持する基台と、
前記加振部を駆動する駆動手段と、
前記加振部の下面側に設けられた移動子と、を備え、
前記基台は、前記移動子を水平方向に往復移動できるように案内するガイド手段を備えることを特徴とする起振機。
【請求項２】
錘を加振する加振部と、
前記加振部を支持する基台と、
前記基台に立設する二つの支持体と、
前記支持体に架設され、表面に駆動コイルが巻回された架設体と、を備え、
前記加振部は、前記架設体に貫通して設けられるとともに、前記駆動コイルと対向する磁石を備え、
前記駆動コイルに電流を供給することによって前記加振部を振動させるように構成されていることを特徴とする起振機。
【請求項３】
前記加振部と前記錘とを着脱させる錘固定手段を備えることを特徴とする請求項１又は２記載の起振機。
【請求項４】
前記基台の下面側に吸着体を設けたことを特徴とする請求項１〜３の何れか一項に記載の起振機。
【発明の詳細な説明】
【０００１】
【発明の属する技術分野】
本発明は、構造物の振動特性を求める際に当該構造物に振動を与える起振機に関する。
【０００２】
【従来の技術】
供試体に外力を付与してその応答性を計測することにより、当該供試体の振動特性を求める振動試験において、当該供試体に振動を与える起振機が知られている。
従来の起振機は、例えば、供試体に取り付けられている基台と、基台上に支柱を介して設けられた台枠と、台枠上に敷設されたガイドレールと、ガイドレール上に車輪を介して配設された錘と、基台と台枠との間に設けられた駆動部などから構成されており、当該錘はガイドレールに沿って水平方向に往復移動できるようになっている（特許文献１）。
そして、この起振機による振動試験は、駆動部が錘に外力を付与することによって、錘を水平方向に沿って往復移動させ、この往復移動により発生する振動を供試体に加えることにより行う。
【０００３】
【特許文献１】
特開平１０−２６３４７８号
【０００４】
【発明が解決しようとする課題】
しかしながら、特許文献１記載の起振機は、錘を台枠、支柱、基台によって支える構造になっているので、錘によってこれらの部材に大きな負荷がかかってしまう。従って、これらの部材を厚くするなどして、強度を上げなければならないため、起振機自体が大型になるという問題点があった。
【０００５】
そこで、本発明の課題は、軽量且つ小型な起振機を提供することである。
【０００６】
【課題を解決するための手段】
上記課題を解決するため、請求項１記載の起振機は、図１、２に示すように、
錘（１１）を加振する加振部（１２）と、
前記加振部を支持する基台（２）と、
前記加振部を駆動する駆動手段（例えば、駆動コイル７０、磁石９０）と、
前記加振部の下面側に配置された移動子（８）と、を備え、
前記基台は、前記移動子を介して当該加振部を水平方向に往復移動できるように案内するガイド手段（例えば、リニアガイド３）を備えることを特徴とする。
【０００７】
請求項１記載の発明によれば、加振部を基台が支持する構成であるので、基台以外の起振機の構成部材の強度や大きさを縮減できることとなって、起振機を軽量且つ小型にすることができる。
【０００８】
請求項２記載の発明は、
錘（１１）を加振する加振部（１２）と、
前記加振部を支持する基台（２）と、
前記基台に立設する二つの支持体（５）と、
前記支持体に架設され、表面に駆動コイル（７０）が巻回された架設体（７）と、を備え、
前記加振部は、前記架設体に貫通して設けられるとともに、前記駆動コイルと対向する磁石（９０）を備え、
前記駆動コイルに電流を供給することによって前記加振部を振動させるように構成されていることを特徴とする。
【０００９】
請求項２記載の発明によれば、加振部を基台が支持する構成であるので、基台以外の起振機の構成部材の強度や大きさを縮減できることとなって、起振機を軽量且つ小型にすることができる。
また、加振部を貫通している架設体に巻回された駆動コイルに電流を供給することによって加振部を振動させるため、加振部の振動に必要な部材の一部を加振部内に収納することができ、起振機をより小型にすることができる。
【００１０】
請求項３記載の発明は、請求項１又は２記載の起振機であって、
前記加振部と前記錘とを着脱させる錘固定手段（例えば、錘固定治具１０、ヒンジ部１００、レバー１０１、係止部１０２、フック１１０）を備えることを特徴とする。
【００１１】
請求項３記載の発明によれば、請求項１又は２記載の発明の効果が得られるのは無論のこと、特に、錘を加振部から取り外すことができるので、錘の持ち運びが容易にできる。
【００１２】
請求項４の発明は、請求項１〜３の何れか一項に記載の起振機であって、
前記基台の下面側に吸着体（４）を設けたことを特徴とする。
【００１３】
請求項４の発明によれば、請求項１〜３の何れか一項に記載の発明の効果が得られるのは無論のこと、特に、基台の下面側に吸着体を設けることによって、起振機を供試体に容易に固定できるとともに、往復移動による加振部の振動を供試体に効率的に伝達することができる。
【００１４】
【発明の実施形態】
以下、図を参照して本発明の実施の形態を詳細に説明する。図１は本発明の起振機の正面図であり、図２は本発明の起振機のＡ−Ａ部断面図である。
【００１５】
起振機１は、図１、２に示されるように、供試体に面する基台２と、基台２の両端部に立設されている２つの支持体５と、両端を２つの支持体５に支持されて架設されている架設体７と、基台２に支持されている加振部１２と、加振部１２の上面側に固定される錘１１などから構成される。
【００１６】
基台２の下面側には、起振機１を供試体に密着させて固定するとともに、加振部１２の往復移動による振動を効率的に伝達する吸着体４が設けられている。吸着体４は、供試体に密着しやすく且つ振動を効率的に伝達できるような薄い材料、例えば厚さ１ｍｍ程度のシリコンゴム等を用いるのが望ましい。
また、基台２の上面の支持体５、５の間には、架設体７と略平行にレール状のリニアガイド３が設けられ、このリニアガイド３には、案内方向に移動可能に移動子８が設けられている。
【００１７】
移動子８には、リニアガイド３に当接するようにベアリング８０が組み込まれている。移動子８はリニアガイド３に支持されており、振動試験時には本体９の振動に応じて、ベアリング８０がリニアガイド３に接触して回転することによって、移動子８がリニアガイド３に案内されて往復移動できるようになっている。
【００１８】
架設体７の表面には、駆動コイル７０が巻回されている。この駆動コイル７０に電流を供給することによって電磁力を発生させて加振部１２を振動させるようになっている。なお、架設体７の一部には駆動回路（図示省略）及び駆動電源（図示省略）が組み込まれており、加振部１２の駆動を制御している。
【００１９】
加振部１２の下面側には、移動子８が固定され、上面側に錘１１が固定されている。加振部１２は、架設体７が貫通するように筒状に形成された本体９と、本体９の内壁に、架設体７の表面に巻回されている駆動コイル７０と対向するように設けられた磁石９０とを備えている。
また、加振部１２の長手方向両端部には、錘１１を固定するための錘固定治具１０が設けられている。
【００２０】
錘固定治具１０は、加振部１２に設けられたヒンジ部１００と、ヒンジ部１００に回動自在に設けられたレバー１０１と、錘１１の長手方向両端部に設けられたフック１１０に引っかけられる係止部１０２とを備え、係止部１０２をフックに引っかけた状態でレバー１０１を下方向に引っ張ると、係止部１０２が連動して下方向に弾性的に引っ張られるようになっている。これにより、錘１１が加振部１２に固定されるようになっている。
【００２１】
支持体５の上端部にはそれぞれ把手６が設けられており、起振機１を両手で持ち上げることができるようになっている。
【００２２】
次に、先述のように構成されている起振機１を用いて行う振動試験の一例について説明する。
【００２３】
起振機１の把手６を持って、起振機１を供試体の上面側に置く。このとき、基台２の下面側の吸着体４が供試体に密着するので、起振機１は供試体に固定される。次いで、錘１１を本体９の上面側に置き、錘１１のフック１１０に錘固定治具１０の係止部１０２を通して引っかけて、その状態でレバー１０１を下げて、錘１１を本体９の上面側に固定する。そして、本体９を貫通している架設体７に巻回された駆動コイル７０に電流を供給することによって、本体９を振動させ、錘１１を加振させる。本体９の振動に応じて、移動子８内のベアリング８０が回転することによって移動子８がリニアガイド３に案内されて案内方向に沿って往復移動して、この移動子８の往復移動による振動が、吸着体４を介して供試体に伝達される。
振動試験終了後は、レバー１０１を上げて、錘固定治具１０を錘１１のフック１１０から外して、錘１１を加振部１２から取り外して、錘１１と起振機１を持ち運ぶ。
【００２４】
以上説明した本発明に係る起振機１によれば、基台２が加振部１２を支持する構成であるので、基台２以外の支持体５や架設体７の強度や大きさを縮減できることとなり、起振機１を軽量且つ小型にすることが可能である。
加振部１２の往復移動は、加振部１２を貫通している架設体７に巻回された駆動コイル７０に電流を供給することによって惹起されるので、加振部１２の振動に必要な駆動コイル７０、磁石９０、駆動回路（図示省略）、駆動電源（図示省略）を加振部１２内に収納でき、起振機１をより小型にすることができる。
加振部１２に固定される錘１１は、錘固定治具１０によって取り外しが可能であるため、錘１１のみを容易に持ち運ぶことができる。また、錘１１を取り外すことによって起振機１の錘分の重量を減らすことができるので、起振機１の搬送も容易にできる。
また、基台２の下面側に吸着体４を設けることによって、起振機１を供試体に容易に固定できるとともに、加振部１２の往復移動による振動を供試体に効率的に伝達することができる。
【００２５】
なお、本発明は上述の実施形態に限定されるものではない。上記実施例では、基台２の上面側にリニアガイド３を設けているが、例えば、基台２の上面側に水平方向に延びる溝等を形成して、移動子８をこれに係合するように形成することによって、加振部１２の水平方向への往復移動させるようにしてもよい。また、錘固定治具１０は必ずしも本体９に設ける必要はなく、錘１１に設けてもよいし、錘固定治具１０を独立させ、錘１１を加振部１２に固定する際に錘１１又は加振部１２に取り付けられるようにしてもよい。
【００２６】
【発明の効果】
以上説明した本発明に係る起振機によれば、加振部を基台が支持する構成であるので、基台以外の支持体や架設体の強度や大きさを減縮することができることとなって、起振機を軽量且つ小型にすることができる。
加振部の往復移動は、加振部を貫通している架設体に巻回された駆動コイルに電流を供給することによって惹起されるので、加振部を振動させるのに必要な部材の一部を加振部内に収納することができ、起振機をより小型にできる。
加振部に固定される錘は、錘固定手段によって取り外しが可能であるため、錘のみを容易に持ち運ぶことができる。
また、基台の下面側に吸着体を設けることによって、起振機を供試体に容易に固定できるとともに、加振部の往復移動による振動を供試体に効率的に伝達することができる。
【図面の簡単な説明】
【図１】本発明を適用した起振機の正面図である。
【図２】本発明を適用した起振機のＡ−Ａ部断面図である。
【符号の説明】
１  起振機
２  基台
３  リニアガイド（ガイド手段）
４  吸着体
５  支持体
７  架設体
８  移動子
１０  錘固定治具（錘固定手段）
１１  錘
１２  加振部
７０  駆動コイル（駆動手段）
９０  磁石（駆動手段）
１００  ヒンジ部（錘固定手段）
１０１  レバー（錘固定手段）
１０２  係止部（錘固定手段）
１１０  フック（錘固定手段）
【図１】
2005013941.tif 000003
【図２】
2005013941.tif 000004